(57)【要約】【課題】装置本体に配置されたスイッチの作動方向を変更可能なレンズ操作装置を提供すること。【解決手段】レンズ装置に装着され、手動により操作することにより、可動光学部材を移動するレンズ操作装置で、装置本体と、該装置本体と相対的に回転可能な回転操作部と、前記装置本体に少なくとも１つのスイッチを有するレンズ操作装置において、前記スイッチは、前記装置本体と相対的に姿勢を変えられる可動部材に配置されていることを特徴とする。【選択図】図２
2017203922.tif 000002
【特許請求の範囲】
【請求項１】
レンズ装置に装着され、手動により操作することにより、可動光学部材を移動するレンズ操作装置で、
装置本体と、該装置本体と相対的に回転可能な回転操作部と、
前記装置本体に少なくとも１つのスイッチを有するレンズ操作装置において、
前記スイッチは、前記装置本体と相対的に姿勢を変えられる可動部材に配置されていることを特徴とするレンズ操作装置。
【請求項２】
前記可動部材は前記回転操作部の回転軸と直交する軸を中心に回動する回動手段を有することを特徴とする請求項１に記載のレンズ操作装置。
【請求項３】
前記装置本体は前記可動部材の姿勢を固定する固定手段を有することを特徴とする請求項１又は請求項２に記載のレンズ操作装置。
【請求項４】
前記可動部材は前記装置本体と相対的に位置が可変な保持部材を介して前記装置本体に保持されることを特徴とする請求項１又は請求項２に記載のレンズ操作装置。
【請求項５】
前記装置本体は前記保持部材の位置を固定する第1の固定手段を有し、前記保持部材は前記可動部材の姿勢を固定する第2の固定手段を有することを特徴とする請求項４に記載のレンズ操作装置。
【発明の詳細な説明】
【技術分野】
【０００１】
本発明は、レンズ操作装置に関し、特に回転操作することにより、レンズ装置の可動な光学部材を移動させるレンズ操作装置に関する。
【背景技術】
【０００２】
従来、放送用レンズではフォーカス操作を行う際、フォーカス操作装置を使用する。撮影者はフォーカス操作装置の回転操作部を回転することで、放送用レンズのフォーカス群を所望のフォーカス位置に駆動させる。
【０００３】
フォーカス操作装置には、フォーカス操作装置本体にリターン（送り返し）スイッチや防振機能ＯＮ／ＯＦＦスイッチ、オートフォーカスＯＮ／ＯＦＦスイッチなどのスイッチが設けられた製品がある（特許文献１、２参照）。これらのスイッチを親指で操作する場合には、スイッチの作動方向が装置本体の略半径方向になるように配置された製品が好まれる。
【０００４】
一方、スイッチを人差し指あるいは中指で操作する場合には、スイッチの作動方向が回転操作部の回転軸方向になるように配置された製品が好まれる。したがって、撮影者は、所望の操作形態に応じてフォーカス操作装置を選択している。
【先行技術文献】
【特許文献】
【０００５】
【特許文献１】特許第４１４７４２７号公報
【特許文献２】特開２００６−２９５５０８号公報
【発明の概要】
【発明が解決しようとする課題】
【０００６】
しかしながら、スイッチの作動方向を変更するためには、撮影者の操作形態に応じて、スイッチの作動方向が異なる製品を用意する必要がある。
【０００７】
そこで、本発明では、スイッチの作動方向を変更可能なレンズ操作装置を提供することを目的とする。
【課題を解決するための手段】
【０００８】
上記の目的を達成するために、本発明に係るレンズ操作装置は、
レンズ装置に装着され、手動により操作することにより、可動光学部材を移動するレンズ操作装置で、装置本体と、該装置本体と相対的に回転可能な回転操作部と、前記装置本体に少なくとも１つのスイッチを有するレンズ操作装置において、前記スイッチは、前記装置本体と相対的に姿勢を変えられる可動部材に配置されていることを特徴とする。
【発明の効果】
【０００９】
本発明によれば、スイッチの作動方向を変更可能なレンズ操作装置を提供することができる。その結果、レンズ操作装置の操作性と運用性の向上が図れる。
【図面の簡単な説明】
【００１０】
【図１】レンズ装置とレンズ操作装置のシステム概略図
【図２】第１の実施例のレンズ操作装置の外観図
【図３】第１の実施例のレンズ操作装置の詳細図
【図４】第２の実施例のレンズ操作装置の外観図
【図５】第２の実施例のレンズ操作装置の詳細図
【図６】第２の実施例のレンズ操作装置のスイッチを引き出した状態の説明図
【発明を実施するための形態】
【００１１】
以下に、本発明の好ましい実施の形態を、添付の図面に基づいて詳細に説明する。
【００１２】
［実施例１］
図１から図３を用いて、本発明の第１の実施例のレンズ操作装置について説明する。
【００１３】
レンズ操作装置Ｄ１は、装置本体１１と、装置本体１１と相対的に回転可能な回転操作部２とで構成される。装置本体１１にはレンズ操作装置Ｄ１と放送用レンズＬ１を接続するための接続端子３が構成されている。レンズ操作装置Ｄ１は接続端子３からデマンドケーブルＣを介して放送用レンズＬ１のレンズコネクタ１０１に接続されている。撮影者が回転操作部２を操作すると、操作角度に応じた駆動信号が放送用レンズＬ１の制御部１０２から駆動部１０３へ出力され、フォーカス群（可動光学部材）Ｆを所望の位置に移動することができる。
【００１４】
装置本体１１には、スイッチケース１２と、スイッチケース１２の回転軸４と、スイッチケース１２の姿勢を固定するストッパー１３と、ストッパー１３をスイッチケース１２側に付勢する圧縮ばね１４が設けられている。スイッチケース１２には、スイッチ５（５ａ、５ｂ）と、スイッチ５を支持するスイッチ支持板６が設けられている。スイッチケース１２の外周面には突部１２ａと、ストッパー１３と係合する複数の係合溝１２ｂが形成されている。
【００１５】
図２（ａ）、図３（ａ）のように、スイッチ５を装置本体１１の略半径方向に操作する場合には、スイッチケース１２は装置本体１１の内部に収納された状態となる。図２（ｂ）、図３（ｂ）のように、スイッチ５の作動方向を回転操作部２の回転軸方向に切り替えるときには、まず、ストッパー１３を矢印Ａの方向に移動させ、ストッパー１３とスイッチケース１２の係合溝１２ｂの係合状態を解除させる。
【００１６】
次に、ストッパー１３と係合溝１２ｂとの係合解除状態を維持したまま、スイッチケースの突部１２ａを把持してスイッチケース１２を回転軸４を中心に回転させる。スイッチケース１２を９０度回転させると、スイッチ５の作動方向を回転操作部２の回転軸方向に変更できる。そして、再びストッパー１３と係合溝１２ｂを係合状態にすることにより、スイッチケース１２の姿勢が固定される。また、係合溝１２ｂの任意の位置でストッパー１３を係合させることで、スイッチ５の作動方向を調整することができる。
【００１７】
本実施例によれば、１台のレンズ操作装置で操作スイッチの作動方向を撮影者の所望の向きに変更することができる。
【００１８】
本実施例では、スイッチケースの姿勢固定手段にストッパーと係合溝による係合方式を用いているが、スイッチケースの外周面に弾性部材を押し当て、摩擦力による保持方式を使用した場合でも同様の効果が得られる。
【００１９】
［実施例２］
図４から図６を用いて、本発明の第２の実施例のレンズ操作装置について説明する。
装置本体２１には、スイッチケース２２を支持するケース支持筺体３０と、ケース支持筺体３０の位置を固定するストッパー２３と、ストッパー２３をケース支持筺体３０側に付勢する圧縮ばね２４が設けられている。また、装置本体２１の内部には、ケース支持筺体３０を装置本体２１の外側方向に付勢する押出し用ばね３１（３１ａ、３１ｂ）と、押出し用ばね３１を支持する支持台３２が設けられている。
【００２０】
ケース支持筺体３０には、スイッチケース２２と、スイッチケース２２の回転軸４と、スイッチケース２２とケース支持筺体３０の相対位置を固定する板ばね３３が設けられている。スイッチケース２２には、スイッチ５（５ａ、５ｂ）と、スイッチ５を支持するスイッチ支持板６が設けられている。ケース支持筺体３０の外側面にはストッパー２４と係合する複数の係合溝３０ａが形成されている。スイッチケース２２の外周面には、板ばね３３が係合する複数のＶ溝２２ａが形成されている。
【００２１】
図４（ａ）、図５（ａ）のように、撮影者がスイッチ５を装置本体２１の略半径方向に操作する場合には、ケース支持筺体３０およびスイッチケース２２は装置本体２１の内部に収納された状態となる。
【００２２】
図４（ｂ）、図５（ｂ）のように、スイッチ５の作動方向を回転操作部２の回転軸方向に切り替えるときには、まず、ストッパー２３を矢印Ａの方向に移動させ、ストッパー２３とケース支持筺体３０の係合溝３０ａの係合状態を解除させる。係合状態が解除されると、押出し用ばね３１の弾性力により、ケース支持筺体３０の一部が装置本体２１の外側に押し出される。
【００２３】
次に、ストッパー２３と係合溝３０ａとの係合解除状態を維持したまま、ケース支持筺体３０を把持してケース支持筺体３０を引き出す。そして、再びストッパー２３と係合溝３０ａを係合状態にすることにより、ケース支持筺体３０の位置が固定される。さらに、スイッチケース２２を回転軸４を中心に９０度回転させることで、スイッチ５の作動方向を回転操作部２の回転軸方向に切り替えることができる。また、Ｖ溝２２ａの任意の位置で板ばね３３を係合させることで、スイッチ５の作動方向を調整することができる。
【００２４】
さらに、図６に示すように、ケース支持筺体３０の係合溝３０ａの任意の位置でストッパー２３を係合させることで、回転操作部２の回転軸からスイッチ５までの距離を変更することができる。
【００２５】
第２の実施例によれば、１台のレンズ操作装置でスイッチの作動方向を撮影者の所望の向きに変更できるだけでなく、回転操作部の回転軸からスイッチまでの距離も変更することができる。
【００２６】
本実施例では、スイッチケースの姿勢固定手段に板ばねとＶ溝による係合方式を用いているが、プランジャを用いた係合方式を使用した場合でも同様の効果が得られる。
【００２７】
以上、本発明の好ましい実施形態について説明したが、本発明はこれらの実施形態に限定されず、その要旨の範囲内で種々の変形及び変更が可能である。また、例示した実施例は、レンズ操作装置で操作する対象をフォーカス群としたが、本発明はこれに限定されることはない。ズーム群、絞りに対する適用、或いは、光学フィルタに対しても同様に適用して、本発明の効果を得ることができる。
【００２８】
上記各実施例によれば、複数のレンズ操作装置を用意することなく、１台のレンズ操作装置でスイッチの作動方向を撮影者の所望の向きに変更することができる。
【符号の説明】
【００２９】
Ｌ１  レンズ装置、Ｆ  フォーカス移動群（可動光学部材）、
Ｄ１，Ｄ２  レンズ操作装置、１１，２１  装置本体、２  回転操作部、４  回転軸、
５  スイッチ、１２，２２  スイッチケース、
１３，２３  ストッパー（可動部材固定手段）、３０  ケース支持筺体
【図１】
2017203922.tif 000003
【図２】
2017203922.tif 000004
【図３】
2017203922.tif 000005
【図４】
2017203922.tif 000006
【図５】
2017203922.tif 000007
【図６】
2017203922.tif 000008